(57)【要約】      （修正有）【課題】ＯＣＢモードの液晶表示パネルにおいて、調光によって生じるフリッカを目立たたなくする。【解決手段】光源装置は表示パネルの画面を区分した複数の表示領域をそれぞれ照明するランプ光源ＢＬ１，ＢＬ２，ＢＬ３と、ランプ光源ＢＬ１，ＢＬ２，ＢＬ３を駆動するバックライト駆動回路ＬＤとを備える。特に、バックライト駆動回路ＬＤは、一定時間当たりの点灯時間として調整される共通なデューティ比で互いに異なる位相に設定される調光制御信号Ｓ１，Ｓ２，Ｓ３を発生する調光制御回路１０、および調光制御回路１０から発生される調光制御信号Ｓ１，Ｓ２，Ｓ３に対応してランプ光源ＢＬ１，ＢＬ２，ＢＬ３をそれぞれ駆動する駆動部１１Ａ，１１Ｂ，１１Ｃを含む。【選択図】図３
2006078974.tif 000002
【特許請求の範囲】
【請求項１】
表示パネルの画面を区分した複数の表示領域をそれぞれ照明する複数のランプ光源と、前記複数のランプ光源を駆動する光源駆動回路とを備え、前記光源駆動回路は、一定時間当たりの点灯時間として調整される共通なデューティ比を有し互いに異なる位相に設定される複数の調光制御信号を発生する調光制御回路、および前記調光制御回路から発生される複数の調光制御信号に対応して前記複数のランプ光源をそれぞれ駆動する複数の駆動部を含むことを特徴とする光源装置。
【請求項２】
前記調光制御回路は、外部から供給される調光信号のデューティ比を検出しこの検出結果に一致するデューティ比のパルス幅変調信号を出力するデューティ比検出部と、前記デューティ比検出部から出力されるパルス幅変調信号の位相を前記複数の調光制御信号としてそれぞれ変化させる複数の位相制御部とを含むことを特徴とする請求項１に記載の光源装置。
【請求項３】
前記パルス幅変調信号は前記調光信号と同じ周波数であることを特徴とする請求項２に記載の光源装置。
【請求項４】
前記複数の調光制御信号の位相差は前記複数のランプ光源相互の距離に基づいて決定されることを特徴とする請求項１または２に記載の光源装置。
【請求項５】
各駆動部は対応位相制御部からの調光制御信号を対応ランプ光源に対する駆動電圧に変換する電圧変換部を含むことを特徴とする請求項２に記載の光源装置。
【請求項６】
各ランプ光源は少なくとも１本の冷陰極管を含むことを特徴とする請求項１に記載の光源装置。    
【請求項７】
前記表示パネルの画面は複数のＯＣＢ液晶画素から構成されることを特徴とする請求項１に記載の光源装置。
【発明の詳細な説明】
【技術分野】
【０００１】
本発明は、例えばＯＣＢ(Optically Compensated Birefringence）モードの液晶表示パネルに適用される光源装置に関する。
【背景技術】
【０００２】
液晶表示装置に代表される平面表示装置は、コンピュータ、カーナビゲーションシステム、あるいはテレビ受信機等の表示装置として広く利用されている。
【０００３】
液晶表示装置は、一般に複数の液晶画素のマトリクスアレイを含む液晶表示パネル、およびこの表示パネルを制御する表示パネル制御回路を有する。液晶表示パネルはアレイ基板および対向基板間に液晶層を挟持した構造である。
【０００４】
アレイ基板は略マトリクス状に配置される複数の画素電極、複数の画素電極の行に沿って配置される複数のゲート線、複数の画素電極の列に沿って配置される複数のソース線、複数のゲート線および複数のソース線の交差位置近傍に配置される複数のスイッチング素子を有する。各スイッチング素子は例えば薄膜トランジスタ（ＴＦＴ）からなり、１ゲート線が駆動されたときに導通して１ソース線の電位を１画素電極に印加する。対向基板には、アレイ基板に配置された複数の画素電極に対向するように共通電極が設けられる。一対の画素電極および共通電極は液晶層の画素領域と共に画素を構成し、画素領域において液晶分子配列を画素電極および共通電極間の電界によって制御する。表示パネル制御回路は複数のゲート線を駆動するゲートドライバ、複数のソース線を駆動するソースドライバ、およびこれらゲートドライバおよびソースドライバの動作タイミングを制御するコントローラ等を含む。  
液晶表示装置が主に動画を表示するテレビ受信機用である場合、液晶分子が良好な応答性を示すＯＣＢモードの液晶表示パネルが一般的に用いられている（特許文献１を参照）。この液晶表示パネルでは、ＯＣＢ液晶が画素電極および共通電極上で互いに平行にラビングされた配向膜によって電源投入前においてほとんど寝ているスプレー配向になる。液晶表示パネルは、電源投入に伴う初期化処理で印加する比較的強い電界によりこれらＯＣＢ液晶をスプレー配向からベンド配向に転移させてから表示動作を行う。
【０００５】
ＯＣＢ液晶が電源投入前にスプレー配向となる理由は、スプレー配向が液晶駆動電圧の無印加状態でエネルギー的にベンド配向よりも安定であるためである。このようなＯＣＢ液晶は一旦ベンド配向に転移しても、スプレー配向のエネルギーとベンド配向のエネルギーとが拮抗するレベル以下の電圧印加状態や電圧無印加状態が長期間続く場合に再びスプレー配向に逆転移してしまうという性質を有する。スプレー配向では、視野角特性がベンド配向に対して大きく異なることから表示異常となる。
【０００６】
従来、ベンド配向からスプレー配向への逆転移を防止するため、例えば１フレームの画像を表示するフレーム期間の一部で大きな電圧をＯＣＢ液晶に印加する駆動方式がとられている。ノーマリホワイトの液晶表示パネルでは、この電圧が黒表示となる画素電圧に相当するため、黒挿入駆動と呼ばれる。
【特許文献１】特開２００２−２０２４９１号公報
【発明の開示】
【発明が解決しようとする課題】
【０００７】
ところで、液晶表示パネルの画面は通常冷陰極管である単一のランプ光源を用いたバックライトにより全体的に照明される。この画面の明るさは一定時間当たりの点灯時間の割合を変化させることにより調整可能である。バックライト駆動回路は、例えば外部のパルス幅変調(ＰＷＭ)調光信号に対応したデューティ比を有する調光制御信号を発生し、この調光制御信号を駆動電圧に変換してランプ光源に供給する。この場合、ランプ光源はＰＷＭ調光信号のデューティ比に従って点灯し消灯する。
【０００８】
しかしながら、画面の明るさを調整する調光において比較的低い周波数のＰＷＭ調光信号を用いると、フリッカが目立つようになる。このフリッカは、ＰＷＭ調光信号の周波数を高めることにより解消できるが、この結果として点灯時間が極端に短くなった場合にランプ光源の点灯が不完全になるという問題がある。さらに、表示パネルが上述の黒挿入駆動を必要とする複数のＯＣＢ液晶画素を用いて構成される場合には、ランプ光源の点灯中に黒挿入動作が行われたり、ランプ光源の消灯中に画像表示動作が行われたりすることによって設定通りの調光ができないという調光不良が生じ易い。
【０００９】
本発明の目的は、調光によって生じるフリッカを目立たたなくできる光源装置を提供することにある。
【課題を解決するための手段】
【００１０】
本発明によれば、表示パネルの画面を区分した複数の表示領域をそれぞれ照明する複数のランプ光源と、前記複数のランプ光源を駆動する光源駆動回路とを備え、光源駆動回路は、一定時間当たりの点灯時間として調整される共通なデューティ比を有し互いに異なる位相に設定される複数の調光制御信号を発生する調光制御回路、および調光制御回路から発生される複数の調光制御信号に対応して複数のランプ光源をそれぞれ駆動する複数の駆動部を含む光源装置が提供される。
【発明の効果】
【００１１】
この光源装置では、複数の調光制御信号のデューティ比が共通であるため、複数のランプ光源の平均輝度も同じになる。これに加えて、複数の調光制御信号の位相が互いに異なっているため、画面の明るさを１００％または０％に調整する場合を除いて、複数のランプ光源の全てが点灯状態あるいは消灯状態になることが避けられる。すなわち、調光による輝度変化が表示領域単位に行われることから、全画面単位に行われる場合よりもフリッカを目立たなくすることができる。従って、ランプ光源の点灯および消灯を高い周波数で繰り返す必要が無くなる。また、調光による輝度変化の領域が分散されるため、表示パネルの画面が黒挿入駆動を必要とする複数のＯＣＢ液晶画素から構成される場合に生じる調光不良も改善できる。
【発明を実施するための最良の形態】
【００１２】
以下、本発明の一実施形態に係る液晶表示装置について添付図面を参照して説明する。図１はこの液晶表示装置の回路構成を概略的に示す。液晶表示装置は液晶表示パネルＤＰ、表示パネルＤＰに接続される表示パネル制御回路ＣＮＴ、表示パネルＤＰを照明するバックライトＢＬ、バックライトＢＬを駆動するバックライト駆動回路ＬＤを備える。液晶表示パネルＤＰは一対の電極基板であるアレイ基板１および対向基板２間に液晶層３を挟持した構造である。液晶層３は例えばノーマリホワイトの表示動作のために予めスプレー配向からベンド配向に転移されベンド配向からスプレー配向への逆転移が周期的に印加される黒表示用電圧により阻止されるＯＣＢ液晶を液晶材料として含む。表示パネル制御回路ＣＮＴはアレイ基板１および対向基板２から液晶層３に印加される液晶駆動電圧により液晶表示パネルＤＰの透過率を制御する。スプレー配向からベンド配向への転移は電源投入時に表示パネル制御回路ＣＮＴにより行われる所定の初期化処理で比較的大きな電界をＯＣＢ液晶に印加することにより得られる。ここで、バックライトＢＬおよびバックライト駆動回路ＬＤは光源装置を構成する。
【００１３】
アレイ基板１は、例えばガラス等の透明絶縁基板上に略マトリクス状に配置される複数の画素電極ＰＥ、複数の画素電極ＰＥの行に沿って配置される複数のゲート線Ｙ（Ｙ０〜Ｙｍ）、複数の画素電極ＰＥの列に沿って配置される複数のソース線Ｘ（Ｘ１〜Ｘｎ）、並びにこれらゲート線Ｙおよびソース線Ｘの交差位置近傍に配置され各々対応ゲート線Ｙを介して駆動されたときに対応ソース線Ｘおよび対応画素電極ＰＥ間で導通して複数の画素スイッチング素子Ｗを有する。各画素スイッチング素子Ｗは例えば薄膜トランジスタからなり、薄膜トランジスタのゲートがゲート線Ｙに接続され、ソース−ドレインパスがソース線Ｘおよび画素電極ＰＥ間に接続される。
【００１４】
対向基板２は例えばガラス等の透明絶縁基板上に配置されるカラーフィルタ、および複数の画素電極ＰＥに対向してカラーフィルタ上に配置される共通電極ＣＥ等を含む。各画素電極ＰＥおよび共通電極ＣＥは例えばＩＴＯ等の透明電極材料からなり、互いに平行にラビング処理される配向膜でそれぞれ覆われ、画素電極ＰＥおよび共通電極ＣＥからの電界に対応した液晶分子配列に制御される液晶層３の画素領域と共に画素ＰＸを構成する。
【００１５】
また、複数の画素ＰＸは各々画素電極ＰＥおよび共通電極ＣＥ間に液晶容量ＣＬＣを有し、さらに複数の補助容量Ｃｓの一端に接続される。各補助容量Ｃｓは、この画素ＰＸの画素電極ＰＥとこの画素ＰＸに一方側で隣接し画素ＰＸの画素スイッチング素子Ｗを制御する前段のゲート線Ｙとの容量結合により形成され、この画素スイッチング素子Ｗの寄生容量に対して十分大きな容量値を有する。尚、図１は、表示画面を構成する複数の画素ＰＸのマトリクスアレイに対して周囲に配置される複数のダミー画素を省略して描かれている。これらダミー画素は表示画面内の画素ＰＸと同様に配線され、寄生容量等に関して表示画面内の全画素ＰＸを同一条件にするために設けられものである。ゲート線Ｙ０はこのようなダミー画素に対するゲート線である。
【００１６】
表示パネル制御回路ＣＮＴは、複数のスイッチング素子Ｗを行単位に導通させるように複数のゲート線Ｙ０〜Ｙｍを順次駆動するゲートドライバＹＤ、各行のスイッチング素子Ｗが対応ゲート線Ｙの駆動によって導通する期間において画素電圧Ｖsを複数のソース線Ｘ１〜Ｘｎにそれぞれ出力するソースドライバＸＤ、複数の画素ＰＸに対して１フレーム期間（垂直走査期間）毎に外部信号源ＳＳから入力される複数の画素データからなる画像データに対して解像度および階調等の変換を行う画像データ変換回路４、およびこの画像データ変換回路４の変換結果として得られる画像データに対してゲートドライバＹＤおよびソースドライバＸＤの動作タイミング等を制御するコントローラ５を含む。画素電圧Ｖsは共通電極ＣＥのコモン電圧Ｖcomを基準として画素電極ＰＥに印加される電圧であり、例えばフレーム反転駆動およびライン反転駆動を行うようコモン電圧Ｖcomに対して極性反転される。
【００１７】
ゲートドライバＹＤおよびソースドライバＸＤは例えばアレイ基板１の外縁に沿って配置されるフレキシブル配線シートにマウントされた集積回路（ＩＣ）チップである。他方、画像データ変換回路４およびコントローラ５は外部のプリント配線板ＰＣＢ上に配置される。コントローラ５は、上述のように順次複数のゲート線Ｙを駆動するための制御信号ＣＴＹおよび、画像データ変換回路４の変換結果として１行分の画素ＰＸ単位に得られ直列に出力される画素データＤＡＴＡを複数のソース線Ｘにそれぞれ割り当てると共に出力極性を指定する制御信号ＣＴＸ等を発生する。制御信号ＣＴＹはコントローラ５からゲートドライバＹＤに供給され、制御信号ＣＴＸは画像データ変換回路４から変換結果として得られる画素データＤＡＴＡと共にコントローラ５からソースドライバＸＤに供給される。
【００１８】
表示パネル制御回路ＣＮＴはさらに１行分のスイッチング素子Ｗが非導通となるときにこれらスイッチング素子Ｗに接続されるゲート線Ｙに一方側で隣接する前段の隣接ゲート線ＹにゲートドライバＹＤを介して印加されこれらスイッチング素子Ｗの寄生容量によって１行分の画素ＰＸに生じる画素電圧Ｖsの変動を補償する補償電圧Ｖeを発生する補償電圧発生回路６、および画像データＤＡＴＡを画素電圧Ｖsに変換するために用いられる所定数の階調基準電圧ＶＲＥＦを発生する階調基準電圧発生回路７を含む。
【００１９】
ゲートドライバＹＤは制御信号ＣＴＹの制御により１フレーム期間において複数のゲート線Ｙ１〜Ｙｍを順次選択し、各行の画素スイッチング素子Ｗを１水平走査期間だけ導通させるオン電圧を選択ゲート線Ｙに供給する。画像データ変換回路４は１行分の画素ＰＸに対する画素データＤＡＴＡからなる変換結果を１水平走査期間毎に出力し、ソースドライバＸＤは上述の階調基準電圧発生回路７から供給される所定数の階調基準電圧ＶＲＥＦを参照してこれら画素データＤＡＴＡをそれぞれ画素電圧Ｖsに変換し、複数のソース線Ｘ１〜Ｘｎに並列的に出力する。
【００２０】
ゲートドライバＹＤが例えばゲート線Ｙ１をオン電圧により駆動してこのゲート線Ｙ１に接続された全ての画素スイッチング素子Ｗを導通させると、ソース線Ｘ１〜Ｘｎ上の画素電圧Ｖsがこれら画素スイッチング素子Ｗをそれぞれ介して対応画素電極ＰＥおよび補助容量Ｃｓの一端に供給される。また、ゲートドライバＹＤはこのゲート線Ｙ１に隣接した前段のゲート線Ｙ０に補償電圧発生回路６からの補償電圧Ｖeを出力し、ゲート線Ｙ１に接続された全ての画素スイッチング素子Ｗを１水平走査期間だけ導通させた直後にこれら画素スイッチング素子Ｗを非導通にするオフ電圧をゲート線Ｙ１に出力する。補償電圧Ｖeはこれら画素スイッチング素子Ｗが非導通になったときにこれらの寄生容量によって画素電極ＰＥから引き抜かれる電荷を低減して画素電圧Ｖsの変動、すなわち突き抜け電圧ΔＶｐを実質的にキャンセルする。
【００２１】
図２は図１に示すバックライトＢＬおよび表示パネルＤＰの関係を示す。図２に示す画面ＤＳはマトリクス状に配置された複数のＯＣＢ液晶画素ＰＸにより構成されている。バックライトＢＬはこの画面ＤＳを縦方向において等しく区分した複数の表示領域Ａ，Ｂ，Ｃを主体としてそれぞれ照明する例えば３個のランプ光源ＢＬ１，ＢＬ２，およびＢＬ３を含む。ここでは、ランプ光源ＢＬ１，ＢＬ２，およびＢＬ３が各々１本の冷陰極管を含むように構成されている。ランプ光源ＢＬ１，ＢＬ２，およびＢＬ３の冷陰極管は表示パネルＤＰの背面において所定ピッチで平行に並ぶように配置される。
【００２２】
図３は図１に示す光源装置の回路構成をさらに詳細に示す。バックライト駆動回路ＬＤは例えば１垂直走査期間（１Ｖ）のような一定時間当たりの点灯時間として調整される共通なデューティ比を有し互いに異なる位相に設定される調光制御信号Ｓ１，Ｓ２，Ｓ３を発生する調光制御回路１０、および調光制御回路１０から発生される調光制御信号Ｓ１，Ｓ２，Ｓ３に対応してランプ光源ＢＬ１，ＢＬ２，ＢＬ３をそれぞれ駆動する駆動部１１Ａ，１１Ｂ，１１Ｃを含む。
【００２３】
調光制御回路１０は、外部からユーザによって供給されるＰＷＭ調光信号のデューティ比を検出しこの検出結果に一致するデューティ比でＰＷＭ調光信号と同じ周波数を有するパルス幅変調信号を出力するデューティ比検出部１２と、デューティ比検出部１２から出力されるパルス幅変調信号の位相を調光制御信号Ｓ１，Ｓ２，Ｓ３としてそれぞれ変化させる位相制御部１３Ａ，１３Ｂ，１３Ｃとを含む。ここでは、調光信号Ｓ１，Ｓ２，Ｓ３が例えば１垂直走査期間（１Ｖ）を１周期とする周波数に設定されている。駆動部１１Ａ，１１Ｂ，１１Ｃの各々は位相制御部１３Ａ，１３Ｂ，１３Ｃの対応する１つからの調光制御信号をランプ光源ＢＬ１，ＢＬ２，ＢＬ３の対応する１つに対する駆動電圧に変換する電圧変換インバータとして構成されている。
【００２４】
図４は光源装置が画面ＤＳ全体の明るさを２／３に調光する動作を示す。この場合、ＰＷＭ調光信号が図４に示すように２Ｖ／３期間だけ点灯用の高レベルとなり１Ｖ／３期間だけ消灯用の低レベルとなる。デューティ比検出部１２がこのデューティ比でＰＷＭ調光信号と同じ周波数を有するパルス幅変調信号を出力すると、位相制御部１３Ａはこのパルス幅変調信号の位相を例えば１Ｖ／３期間だけ遅らせた調光制御信号Ｓ１を出力し、位相制御部１３Ｂはこのパルス幅変調信号の位相を例えば２Ｖ／３期間だけ遅らせた調光制御信号Ｓ２を出力し、位相制御部１３Ｃはこのパルス幅変調信号の位相を例えば３Ｖ／３、すなわち１Ｖ期間だけ遅らせた調光制御信号Ｓ３を出力する。駆動部１１Ａ，１１Ｂ，１１Ｃはそれぞれ調光制御信号Ｓ１，Ｓ２，Ｓ３をインバータ方式で駆動電圧に変換してランプ光源ＢＬ１，ＢＬ２，ＢＬ３に出力する。ランプ光源ＢＬ１，ＢＬ２，ＢＬ３はこれら駆動電圧において維持されるデューティ比で点灯および消灯する。従って、表示領域Ａ，Ｂ，Ｃの状態は図４に示すように１Ｖ／３期間ずつ変化する。
【００２５】
図５は光源装置が画面ＤＳ全体の明るさを１／２に調光する動作を示す。この場合、ＰＷＭ調光信号が図５に示すように１Ｖ／２期間だけ点灯用の高レベルとなり１Ｖ／２期間だけ消灯用の低レベルとなる。デューティ比検出部１２がこのデューティ比でＰＷＭ調光信号と同じ周波数を有するパルス幅変調信号を出力すると、位相制御部１３Ａはこのパルス幅変調信号の位相を例えば１Ｖ／３期間だけ遅らせた調光制御信号Ｓ１を出力し、位相制御部１３Ｂはこのパルス幅変調信号の位相を例えば２Ｖ／３期間だけ遅らせた調光制御信号Ｓ２を出力し、位相制御部１３Ｃはこのパルス幅変調信号の位相を例えば３Ｖ／３、すなわち１Ｖ期間だけ遅らせた調光制御信号Ｓ３を出力する。駆動部１１Ａ，１１Ｂ，１１Ｃはそれぞれ調光制御信号Ｓ１，Ｓ２，Ｓ３をインバータ方式で駆動電圧に変換してランプ光源ＢＬ１，ＢＬ２，ＢＬ３に出力する。ランプ光源ＢＬ１，ＢＬ２，ＢＬ３はこれら駆動電圧において維持されるデューティ比で点灯および消灯する。従って、表示領域Ａ，Ｂ，Ｃの状態は図５に示すように１Ｖ／６期間ずつ変化する。
【００２６】
尚、調光制御信号Ｓ１，Ｓ２，Ｓ３の位相差は全て１Ｖ／３に設定されているが、これ以外の値を基準にしてもよい。また、ランプ光源ＢＬ１，ＢＬ２，ＢＬ３のピッチが均等でない場合、調光制御信号Ｓ１，Ｓ２，Ｓ３の位相差は例えば図６に示すようにこれらランプ光源ＢＬ１，ＢＬ２，ＢＬ３相互の距離に基づいて決定されることが好ましい。
【００２７】
本実施形態の液晶表示装置では、複数の調光制御信号Ｓ１，Ｓ２，Ｓ３のデューティ比が共通であるため、複数のランプ光源ＢＬ１，ＢＬ２，ＢＬ３の平均輝度も同じになる。これに加えて、複数の調光制御信号Ｓ１，Ｓ２，Ｓ３の位相が互いに異なっているため、画面ＤＳの明るさを１００％または０％に調整する場合を除いて、複数のランプ光源の全てが点灯状態あるいは消灯状態になることが避けられる。すなわち、調光による輝度変化が表示領域単位に行われることから、全画面単位に行われる場合よりもフリッカを目立たなくすることができる。従って、ランプ光源ＢＬ１，ＢＬ２，ＢＬ３の点灯および消灯を高い周波数で繰り返す必要が無くなる。また、調光による輝度変化の領域が分散されるため、表示パネルＤＰの画面ＤＳが黒挿入駆動を必要とする複数のＯＣＢ液晶画素ＰＸから構成される場合に生じる調光不良も改善できる。
【００２８】
尚、本発明は上述の実施形態に限定されず、その要旨を逸脱しない範囲で様々に変形可能である。
【００２９】
図７は、図３に示すバックライトＢＬのランプ光源数を増大した場合の動作の一例を示す。ここでは、バックライトＢＬはこの画面ＤＳを縦方向において等しく区分したｋ個の表示領域を主体としてそれぞれ照明する例えばｋ個のランプ光源ＢＬ１〜ＢＬｋを含む。さらに、ランプ光源ＢＬ１〜ＢＬｋの各々は例えば２本である複数の冷陰極管で構成されている。この場合、バックライト駆動回路ＬＤの位相制御部１３Ａ，１３Ｂ，…および駆動部１１Ａ，１１Ｂ，…がこれら、ランプ光源ＢＬ１〜ＢＬｋに対応するようにｋ個設けられる。
【００３０】
このような構成では、複数の調光制御信号Ｓ１〜Ｓｋのデューティ比が共通であるため、複数のランプ光源ＢＬ１〜ＢＬｋの平均輝度も同じになる。これに加えて、複数の調光制御信号Ｓ１〜Ｓｋの位相が互いに異なっているため、画面ＤＳの明るさを１００％または０％に調整する場合を除いて、複数のランプ光源の全てが点灯状態あるいは消灯状態になることが避けられる。特にランプ光源数の増大は調光による輝度変化をさらに細かな表示領域単位に行わせることになるため、上述の実施形態よりもフリッカを目立たなくすることができる。また、冷陰極管数に比べて位相制御部１３Ａ，１３Ｂ，…および駆動部１１Ａ，１１Ｂ，…の数が半分以下となるため、バックライト駆動回路ＬＤの規模が無駄に大きくならないようになっている。
【図面の簡単な説明】
【００３１】
【図１】本発明の一実施形態に係る液晶表示装置の回路構成を概略的に示す図である。
【図２】図１に示すバックライトおよび表示パネルの関係を示す図である。
【図３】図１に示す光源装置の回路構成をさらに詳細に示す図である。
【図４】図３に示す光源装置が画面全体の明るさを２／３に調光する動作を示す図である。
【図５】図３に示す光源装置が画面全体の明るさを１／２に調光する動作を示す図である。
【図６】図３に示す光源装置が均等でないピッチで並ぶランプ光源を用いて画面全体の明るさを２／３に調光する動作を示す図である。
【図７】図３に示すバックライトのランプ光源数を増大した場合の動作の一例を示す図である。
【符号の説明】
【００３２】
１…アレイ基板、２…対向基板、３…液晶層、４…画像データ変換回路、５…コントローラ、６…補償電圧発生回路、７…階調基準電圧発生回路、１０…調光制御回路、１１Ａ〜１１Ｃ…駆動部、１２…デューティ比検出部、１３Ａ〜１３Ｃ…位相制御部、ＢＬ…バックライト、ＢＬ１〜ＢＬ３…ランプ光源、ＤＰ…液晶表示パネル、ＰＥ…画素電極、ＣＥ…共通電極、ＣＬＣ…液晶容量、Ｃｓ…補助容量、ＰＸ…液晶画素、Ｗ…スイッチング素子、Ｙ…ゲート線、Ｘ…ソース線、ＣＮＴ…表示パネル制御回路、ＬＤ…バックライト駆動回路、ＹＤ…ゲートドライバ、ＸＤ…ソースドライバ。
【図１】
2006078974.tif 000003
【図２】
2006078974.tif 000004
【図３】
2006078974.tif 000005
【図４】
2006078974.tif 000006
【図５】
2006078974.tif 000007
【図６】
2006078974.tif 000008
【図７】
2006078974.tif 000009